(57)【特許請求の範囲】
【請求項１】
複数のスイッチング素子がマトリクス状に形成された基板と、
前記複数のスイッチング素子の各々の電極を前記基板の周辺に引き出すための、複数の配線と、
前記複数の配線の各々の内で、コンタクトホールの底面と接触する部分の端部から前記基板の端部へ向けて伸延されている、複数の延長配線とを備えており、
前記複数の延長配線の各々は、前記伸延方向に沿って連続する複数のブロックを有しており、
前記複数のブロックの各々は、当該ブロックに対応する延長配線が繋がった配線の前記端部側のブロック部分を寸法的に狭小化し、前記基板端部側のブロック部分を寸法的に広大化しており、
隣接し合う前記ブロック同士に関して、一方の前記ブロックの前記広大化したブロック部分と、他方の前記ブロックの前記狭小化したブロック部分とが、連続的に形成されていることを特徴とする、
マトリクスアレイ基板。
【請求項２】
請求項１記載のマトリクスアレイ基板であって、
前記隣接し合うブロック同士の連続部分に向かうくびれの間隔の何れも及び各前記ブロックの前記基板端部側のブロック部分の最大幅が共に前記複数の配線の内で隣り合う配線間の距離よりも小さいことを特徴とする、
マトリクスアレイ基板。
【請求項３】
請求項１又は２記載のマトリクスアレイ基板であって、
前記隣接し合うブロック同士の連続部分に向かうくびれの角度は何れも鋭角であることを特徴とする、
マトリクスアレイ基板。
【請求項４】
請求項１乃至３の何れかに記載のマトリクスアレイ基板であって、
前記隣接し合うブロック同士の連続部分に向かうくびれの間隔が同一であることを特徴とする、
マトリクスアレイ基板。
【請求項５】
請求項１乃至４の何れかに記載の前記マトリクスアレイ基板を一方の基板として、当該一方の基板と他方の基板とを互いに張り合せて成る表示パネルを有することを特徴とする、
表示装置。
【発明の詳細な説明】
【技術分野】
【０００１】
本発明は、マトリクスアレイ基板の配線形状（端子形状）に関する。
【背景技術】
【０００２】
液晶表示装置は、一対の基板によって液晶材料を狭持して成る液晶パネルを有しており、当該液晶パネルを成す一方の基板は、当該基板上にスイッチング素子がマトリクス状に形成されて成るマトリクスアレイ基板である。そして、マトリクスアレイ基板上に形成される画素電極は、隣接する画素電極にそれぞれ接続され、外部の信号供給手段から供給される電気信号に基づいて画素電極の電圧レベルを制御している。
【０００３】
例えば、各画素に薄膜トランジスタ（TFT：Thin  Film  Transistor）等のスイッチング素子を設けたアクティブマトリクス駆動方式の表示パネルでは、信号配線、走査配線及びスイッチング素子は、２枚の基板の内の一方のマトリクスアレイ基板上に形成される。多数の走査配線は、互いに平行となる様に配置され、又、多数の信号配線は、走査配線と交差して、互いに平行となる様に配置されている。走査配線及び信号配線の交点には、スイッチング素子が形成され、その走査電極が走査配線へ、信号電極が信号配線へ、ドレイン電極が画素電極にそれぞれ接続され、スイッチング素子及び画素電極により画素が構成される。
【０００４】
この様な表示装置の製造に於いて、２枚の基板の重ね合わせ及び液晶注入等を行う際に、液晶基材を配向させる目的で、基板上に塗布したポリイミド膜（配向膜）を布で摩擦するラビング等の工程が行われている。この工程では、非常に大きな静電気が発生するので、走査配線及び信号配線に過電圧が印加され、スイッチング素子の破損等による静電気不良を生じる場合がある。
【０００５】
そこで、この様な静電気不良を防止する対策として、信号配線及び走査配線の全配線を短絡させるショート配線を設け、電気容量を大きくしてスイッチング素子に対するダメージを分散、軽減させることが、一般的に行われている。このショート配線は、画像検査工程等の、ショート配線を除去する必要がある工程の前に、除去される。
【０００６】
その為、ショート配線は、その除去が容易に可能な基板端部に設けられており、しかも、その形状は、コンタクトホールを介して配線パターンと導通する多数の外部電極の外側に形成された環状配線であり、信号配線及び走査配線がショート配線に接続されている。
【０００７】
ところが、従来の表示パネルでは、ショート配線を除去する工程で、上記コンタクトホールから基板端部のショート配線へ向けて伸延されている配線パターンが剥離し、その剥離パターンが隣接する端子をショートさせる、或いは、剥れた剥離パターンが別の端子同士をショートさせる場合がある。この結果、線欠陥等の表示不良、又は、検査駆動回路の損壊等の問題が生じる。
【０００８】
例えば、ショート配線を除去するための面取り加工は、表示パネル側面のエッジを研磨部材で面取りすることで、行われている。又、外部電極のクリーニングは、表示パネル主面側に対して、クリーニング部材を用いて行われている。このため、これらの工程に於いて、ショート配線に外力が加えられ、当該外力により、コンタクトホールから基板端部のショート配線へ向けて伸延されている配線パターンが剥離してしまう。
【０００９】
又、ショート配線を面取りした後は、面取り端部のコンタクトホールから基板端部のショート配線へ向けて伸延されている配線パターンが基板から浮き上がり、めくれ上がってしまう場合がある。この事態は、上記配線パターンがアレイ工程の成膜時に表示画面側（画素側）に向かって膜の応力が働いた状態にて成膜されていることによると、考えられる。
【００１０】
この問題点を解決するために、コンタクトホールから基板端部のショート配線へ向けて伸延されている配線パターンの形状を基板端部側へ向けて配線幅を狭小化させたテーパー状に設定し、配線パターンに加わる応力を分散させる方法がある（特許文献１参照）。この様な構成により、配線パターンに印加される応力を分散させる事が出来るため、狭小化された配線パターンの剥離を抑制することが出来る。
【００１１】
又、上記配線パターンを、狭小化された配線部の基板端部からの距離が、配線パターンの間隔よりも小さく成るくびれ形状で形成し、配線パターンが基板短端部から剥離した場合に、剥離パターンをくびれ形状部に於いて配線パターンから破断させることにより、剥離パターンを配線パターンの間隔よりも小さくする事が出来る（特許文献１参照）。
【００１２】
【特許文献１】特開２００４−２５２２７６号公報（図１、図８）
【発明の開示】
【発明が解決しようとする課題】
【００１３】
特許文献1に開示されている従来の表示パネルでは、コンタクトホールから基板端部のショート配線へ向けて伸延されている配線パターンは、基板端部側へ向けて配線幅を狭小化させたテーパー状の形状を有している。しかし、この配線パターンの剥離起点部分（基板端部側）では、配線パターン幅が狭小化しているため、面取り及び切断工程等の外部からの応力に対して、十分な応力の分散が出来ないことがあり、配線パターンの剥離が起こっている可能性がある。これにより、配線パターンの剥離パターンが隣接する端子とショートし、このショート現象が歩留低下の一因と成り得る。
【００１４】
本発明は、以上の様な問題点を克服すべく成されたものであり、その目的は、表示装置の製造に於いて、コンタクトホールから基板端部のショート配線へ向けて伸延されている配線パターンの剥離によって発生する端子間ショートを抑制して、表示パネルの製造歩留を向上させる点にある。又、上記表示パネルにより構成される表示装置の製造歩留を向上させることをも、その目的とする。 
【課題を解決するための手段】
【００１５】
本発明の主題は、マトリクスアレイ基板であって、複数のスイッチング素子がマトリクス状に形成された基板と、前記複数のスイッチング素子の各々の電極を前記基板の周辺に引き出すための、複数の配線と、前記複数の配線の各々の内で、コンタクトホールの底面と接触する部分の端部から前記基板の端部へ向けて伸延されている、複数の延長配線とを備えており、前記複数の延長配線の各々は、前記伸延方向に沿って連続する複数のブロックを有しており、前記複数のブロックの各々は、当該ブロックに対応する延長配線が繋がった配線の前記端部側のブロック部分を寸法的に狭小化し、前記基板端部側のブロック部分を寸法的に広大化しており、隣接し合う前記ブロック同士に関して、一方の前記ブロックブロックの前記広大化したブロック部分と、他方の前記ブロックの前記狭小化したブロック部分とが、連続的に形成されていることを特徴とする。
【００１６】
以下、この発明の主題の様々な具体化を、添付図面を基に、その効果・利点と共に、詳述する。
【発明の効果】
【００１７】
本発明の主題によれば、面取り工程等に於いて、延長配線が外部からの応力により剥離した場合でも、くびれの部分で積極的に延長配線の一つのブロックを延長配線から破断させることにより、破断された剥離パターンの寸法を実装端子間距離（配線間の距離）よりも小さく設定しているので、端子間ショートを抑制することが出来る。
【発明を実施するための最良の形態】
【００１８】
（実施の形態１）
以下、本実施の形態に係る表示装置の構成について記載する。ここでは、本発明が適用される表示装置として、ＴＦＴ液晶表示装置を示す。
【００１９】
図１は、ＴＦＴ表示装置が搭載する表示パネル（液晶パネル）の構成を示す平面図である。但し、図１は、ショート配線８を除去する前の段階に於ける表示パネルを示している。この表示パネルに関しては、その画像検査工程前に、図１に示すショート配線８を含む面取りエリア１０ｂは、面取り工程等により除去される。
【００２０】
この表示パネルは、表示材料としての液晶を狭持する互いに対向し合う第１基板（マトリクスアレイ基板に該当）１及び第２基板２から構成されている。そして、第１基板１上には、互いに図面の縦方向に沿って平行に並ぶ複数本の信号配線５ａと、互いに図面の横方向に沿って平行に並ぶ複数本の走査線５ｂとが、形成されている。これらの信号配線５ａ及び走査配線５ｂは、表示エリア１０ａ内に於いて互いに交差する様に形成されており、その各々の交点には、スイッチング素子としてＴＦＴ（図示せず。）及び画素電極（図示せず。）が設けられ、それぞれの交点は画素を構成している。このスイッチング素子のＴＦＴを駆動させることにより、液晶の配向が制御され、表示パネルに画像が表示される。
【００２１】
図１に示す様に、第１基板１は第２基板２よりも大きめに造られており、各信号配線５ａ及び各走査配線５ｂは、それぞれ、信号延長配線９ａの配線パターン及び走査延長配線９ｂの配線パターンを介在させて、第２基板２の外側から第１基板１の周辺部に形成されているショート配線８まで延長されている。そして、各信号配線５ａ及び各信号延長配線９ａ並びに各走査配線５ｂ及び各走査延長配線９ｂの配線パターン上には、絶縁膜（図示せず。）が形成されている。しかも、信号配線５ａの上面には、信号配線５ａの延長配線である信号延長配線９ａと電気的に接続する信号配線コンタクトホール７ａが上記絶縁膜を貫通して設けられている。尚、信号配線コンタクトホール７ａは、導電材料（図示せず。）で完全に充填されている。そして、各信号配線コンタクトホール７ａを介して対応する信号延長配線９ａと導通する多数の信号配線用外部電極（図示せず。）が、上記絶縁膜上に形成されている。又、同様に、走査配線５ｂの上面にも、走査配線５ｂの延長配線である走査延長配線９ｂと電気的に接続する走査配線コンタクトホール７ｂが上記絶縁膜を貫通して設けられている。尚、走査配線コンタクトホール７ｂは、導電材料（図示せず。）で完全に充填されている。そして、各走査配線コンタクトホール７ｂを介して対応する走査延長配線９ｂと導通する多数の走査配線用外部電極（図示せず。）が、上記絶縁膜上に形成されている。従って、各信号配線コンタクトホール７ａ及び各走査配線コンタクトホール７ｂは、外部の駆動用回路を表示パネルに接続するための機能を呈する。
【００２２】
各信号配線５ａ及び各走査配線５ｂは、それぞれ、信号延長配線９ａ及び走査延長配線９ｂを介在させて、その端部に於いて、ショート配線８に電気的に接続されている。この様に、ショート配線８に各信号配線５ａ及び各走査配線５ｂを電気的に接続させることにより、各画素のスイッチング素子のＴＦＴが、静電気等から保護される。ここで、図１に例示されている通り、画像検査前に除去する必要があるショート配線８は、第１基板１の端部の面取り時に容易に当該ショート配線８を除去出来る様にするために、第１基板１の端部（周辺部）の面取りエリア１０ｂ内に形成されている。
【００２３】
以下に於いては、記載の便宜上、各信号配線５ａ及び各走査配線５ｂを「配線５」として総称し、単に「配線５」と言うときには、各信号配線５ａ及び各走査配線５ｂの何れをも指すものとする。同様に、各信号配線コンタクトホール７ａ及び各走査配線コンタクトホール７ｂを単に「コンタクトホール７」と総称する。又、各信号配線コンタクトホール７ａの底面と電気的に接触する対応する信号配線５ａの部分の端部からショート配線８へ向けて延在されている各信号延長配線９ａ、及び、各走査配線コンタクトホール７ｂの底面と電気的に接触する対応する走査配線５ｂの部分の端部からショート配線８へ向けて延在されている各走査線長配線９ｂを、共に「延長配線９」と総称する。
【００２４】
図２は、図１の表示パネル端部の面取りエリア１０ｂの近傍領域の、面取りエリア１０ｂの除去前の構成を拡大して示す平面図である。図２に示す様に、面取りエリア１０ｂ内まで伸延されている各配線５の端部より引き出されている各延長配線９は、面取りエリア１０ｂの除去作業の際に、ある一定の規格の範囲内で除去される。図２では、各延長配線９は、第１基板１の端部のショート配線８に達するまで伸延されており、しかも、所定の間隔で以って連続的にしかも鋭角の角度で形成されている複数のくびれ１２を有する形状に形成されている。
【００２５】
即ち、各延長配線９に於いて、鋭角の角度を有する、くびれ１２は、各配線５の端部から面取りエリア１０ｂ内のショート配線８まで所定の間隔で存在し、ショート配線８に電気的に接続されている各延長配線９は、連続的に繋がった複数のブロック１１で形成されている。しかも、各ブロック１１は、延長配線９の伸延方向（縦方向）に直交する横方向に関して、ショート配線８側部分が広大化しており、逆にコンタクトホール７側部分がショート配線８側部分よりも狭小化した形状を有する。つまり、くびれ１２は、隣接し合うブロック１１同士の連続部分に向かうように形成されている。
【００２６】
延長配線９が面取りエリア１０ｂの面取り時の衝撃により剥れる際には、当該延長配線９はコンタクトホール７側に引っ張られて剥れるため、各延長配線９を成す膜へ加わっている応力は、表示エリア１０ａ側へ働いていると、推測される。そのため、ブロック１１の形状に関しては、ショート配線８側部分をコンタクトホール７側部分よりも広大化させることにより、面取り時の延長配線９に加わる応力を分散させ、且つ、延長配線９を成す膜の密着面積をショート配線８側部分の広大化により大きく設定することで、面取り時に於ける各延長配線９の剥がれを抑制する。
【００２７】
図３は、面取りエリア１０ｂの除去後に於ける、図２に示された表示パネル端部の面取りエリア１０ｂ近傍領域の構成を示す平面図である。上記した通り、各延長配線９は、２個以上の上記形状を有するブロック１１の連続形状で以って伸延形成されている。そのため、面取り作業に於いて面取りエリア１０ｂを除去する際に、面取り端部１３からの延長配線９への面取り時の衝撃によって剥れた延長配線９（以下、面取り時に剥れた延長配線９の部分を「剥離配線１５」と言う。）に対しては、ブロック１１同士の間のくびれ１２の部分より積極的に破断させることにより、剥離した延長配線９の剥離配線１５をブロック１１相当のものとして、剥離配線１５の大きさを、隣接する配線５の間隔よりも小さいものとすることで、隣接する配線５間の端子間ショートを防ぐ。
【００２８】
しかも、面取りエリア１０ｂの面取り量のバラつきに起因して面取り端部１３の位置が変化したとしても、上記の構造を有する、ブロック１１の連続形成によって、ブロック１１同士の間で鋭角を成すくびれ１２の部分で積極的にブロック１１が延長配線９から破断される様に形成する。
【００２９】
つまり、各延長配線９のショート配線８までの形状を、鋭角のくびれ１２が間に設けられた隣接し合うブロック１１を互いに連続的に形成して成る構成に設定することにより、面取り端部１３の位置が面取り量のバラツキで変化し、面取り時の衝撃により延長配線９の剥がれ、及び、剥離配線１５が生じた場合でも、或るブロック１１同士の間のくびれ１２の部分に於いて延長配線９を積極的に破断させ、剥離配線１５の大きさを隣り合う配線５の間隔よりも小さくして、隣接する配線５間、若しくは、隣り合う延長配線９間の端子間ショートを防ぐ。
【００３０】
図４は、図２及び図３に例示された、各延長配線９の伸延方向に沿って連続形成されて各延長配線９を成す各ブロック１１の寸法関係を記載した平面図である。図４に示す通り、各ブロック１１の上記伸延方向に沿った縦寸法Ａは、各延長配線９のショート配線８までの形状を、ブロック１１の連続形成により形成したときの、１個のブロック１１の縦方向の距離である。又、図４の各ブロック１１の横最大寸法Ｂは、各延長配線９のショート配線８までの形状を、ブロック１１の連続形成により形成したときの、１個のブロック１１の横方向（各延長配線９の伸延方向ないしは縦方向に直交する方向）に於ける最大距離である。本実施の形態では、この１ブロック形状縦寸法Ａ及び１ブロック形状横最大寸法Ｂは、共に、図４の配線間の距離Ｅ（図２及び図３の隣接配線５間の距離）よりも小さく設定・形成される（Ａ＜Ｅ，Ｂ＜Ｅ）。
【００３１】
１ブロック形状横最大寸法Ｂは、延長配線９のショート配線８までの形状をブロック１１で連続形成したときの、個々のブロック１１の形状の終り部分の寸法（最大幅）とし、その次に連続形成される、ブロック１１の１ブロックの形状の最初の部分（最小幅）と重なる様に、ブロック１１を連続形成する。
【００３２】
図４の１ブロック形状の横最小寸法Ｃは、各延長配線９のショート配線８までの形状を、ブロック１１で連続形成したときの、個々のブロック１１の横方向の最小距離である。この１ブロック形状の横最小寸法Ｃは、表示パネルを静電気等の不具合から、スイッチング素子のＴＦＴを守るショート配線の機能を有する最小幅で形成される。そして、１ブロック形状の横最小寸法Ｃの距離が小さい程、面取り時の面取り端部１３(図３)に於いて延長配線９に加わる衝撃により、延長配線９が剥離する際に、面取り端部１３側に位置するブロック１１を延長配線９から破断させ易く成る。
【００３３】
図４に示すくびれの角度Ｄは、より鋭角である程に断線を促せるため、９０度よりも鋭角でくびれの角度Ｄを形成する。この設定により、面取り時の面取り端部１３に於いて延長配線９に加わる衝撃により、延長配線９が剥離する際に、面取り端部１３側に位置するブロック１１を延長配線９から破断させ易くすることが出来る。
【００３４】
図４に於いて、ブロック１１の１ブロック形状の縦寸法Ａは、隣接配線５間の距離Ｅよりも小さく設定され、ブロック１１を、コンタクトホール７の直下に該当する配線５の部分の端部からショート配線８に達するまで、同一間隔Ａにて、ブロック１１を連続形成させるため、面取り作業に於いて面取りを実施した際、ブロック１１の個数をカウントすることにより、ルーペ等で容易に面取り量の測定が可能になり、測長器等を使用しないため、作業効率を向上させることが出来る。
【００３５】
以上の通り、本実施の形態によれば、くびれ角度Ｄが鋭角で、コンタクトホール７側部分の幅の方がショート配線８側部分の幅よりも狭小化されており、且つ、（Ａ＜Ｅ，Ｂ＜Ｅ）の寸法関係を有する、ブロック１１を縦方向に沿って連続的に形成することで、ショート配線８にまで達する延長配線９を形成しているので、面取り時の面取り端部１３に於いて延長配線９に加わる衝撃により、延長配線９が剥離しても、その剥離の際に、くびれ１２の部分で面取り端部１３側のブロック１１を容易に延長配線９から破断させることが出来、その破断されたブロック１１の寸法は端子間距離Ｅよりも小さい結果、破断されたブロック１１は、端子５間ショート及び延長配線９間ショートを起し難くすると言う利点が得られる。
【００３６】
（実施の形態２）
図５は、本実施の形態に係る表示装置が有する表示パネル端部の面取りエリア１０ｂ近傍部分を拡大して示す平面図である。図５に於いて、図１〜図４に示したものと同様の機能を有する要素には、同一の参照符号が付されている。本実施の形態に係る表示装置の構造では、実施の形態１（図２〜図４）と比較して、ブロック１１の形状が異なり、その他の点は同じである。
【００３７】
但し、図４に示した場合とは異なり、本実施の形態では、１ブロック形状横最大寸法Ｂの部分が、下記に記すくびれ１２の角度Ｄの切り込みの方向の影響により、１ブロック形状の横最小寸法Ｃの部分に対して前後し、１ブロック形状の横最小寸法Ｃの部分よりもショート配線８側に位置する部分の寸法が、１ブロック形状横最大寸法Ｂに該当する。
【００３８】
図５（ａ）の構造では、ブロック１１同士の間に於ける、くびれ１２の角度Ｄが、コンタクトホール７側に向かってより鋭角に成る様に形成されている。この様な構造では、図４に於けるくびれ１２の角度Ｄの場合よりも、面取り時の面取り端部１３に於いて延長配線９に加わる衝撃により延長配線９が剥離する際に、ブロック１１同士の間の破断をより一層促す方向へと、くびれ１２が向いているため、ブロック１１同士の間を実施の形態１の場合よりも破断させ易く成る。これにより、配線５間、及び、延長配線９間での端子間ショートをより有効に防ぐことが出来る。
【００３９】
図５（ｂ）の構造は、図５（ａ）のブロック１１に関して、くびれ１２の角度Ｄが、コンタクトホール７側に向かってより鋭角に成る様に形成されているケースの変形例である。図５（ｂ）に示す様に、くびれ１２の角度Ｄの方向は、コンタクトホール７側に向いて設定される。図５（ｂ）の場合にも、図５（ａ）の場合と同様な効果が得られる。
【００４０】
この様に、面取り時の面取り端部１３に於いて延長配線９に加わる衝撃により延長配線９が剥離する際に、剥離配線１５の寸法が、配線５間の距離（図４の配線間の距離Ｅ）よりも小さく形成されており、基板端部のショート配線８にまで至る延長配線９を、ショート配線８側部分が広大化し、逆にコンタクトホール７側部分が狭小化した、ブロック１１の連続形成によって構成するならば、個々のブロック１１は、図５の（ａ）又は（ｂ）に示す様な形状であっても良い。
【００４１】
（実施の形態３）
図６は、本実施の形態に係る表示装置が有する表示パネルの端部の面取りエリア１０ｂ近傍の構成を拡大して示す平面図である。図６に於いても、図１〜図４に示した構成要素と同様の機能を有する構成要素については、同一の参照符号が付されている。本実施の形態に係る表示装置の構造では、実施の形態１（図２〜図４）と比較して、ブロック１１の形状が異なり、その他の点は同じである。
【００４２】
図６に示す様に、各ブロック１１は、ショート配線８側部分が広大化し、且つ、コンタクトホール７側部分が狭小化するパターンが、円弧の形状で以って形成されている形状から成る。この様な構造により、ブロック１１同士の間のくびれ１２の部分がより一層細く成っている。従って、図６の構造は、面取り時の面取り端部１３（図３）に於いて延長配線９に加わる衝撃により延長配線９が剥離する際に、面取り端部１３側のブロック１１同士の間の破断をより一層促す形状と成っている。
【００４３】
この様に、面取り時の面取り端部１３（図３）に於いて延長配線９に加わる衝撃により延長配線９が剥離する際に、剥離配線１５の寸法を、配線５間の距離（図４の配線間の距離Ｅ）よりも小さく形成し、基板端部のショート配線８にまで至る延長配線９を、ショート配線８側部分が広大化し、且つ、コンタクトホール７側部分が狭小化した、ブロック１１の連続形成で以って構成するならば、個々のブロック１１は、図６に示す様な円弧で形成したブロック１１であっても良い。
【００４４】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【００４５】
例えば、本発明に係るマトリクスアレイ基板を、有機ＥＬディスプレイ等の他のＦＰＤに適用することも可能である。
【産業上の利用可能性】
【００４６】
本発明は、例えば、液晶表示装置に適用して好適である。
【図面の簡単な説明】
【００４７】
【図１】実施の形態１に係る表示装置が搭載する表示パネルの平面図である。
【図２】実施の形態１に係る表示パネル端部の面取りエリア近傍の拡大図である。
【図３】実施の形態１に係る表示パネル端部の面取りエリア近傍の拡大図である。
【図４】実施の形態１に係る表示パネル端部の面取りエリア近傍に於ける構成要素の寸法を記した図である。
【図５】実施の形態２に係る表示パネル端部の面取りエリア近傍の拡大図である。
【図６】実施の形態３に係る表示パネル端部の面取りエリア近傍の拡大図である。
【符号の説明】
【００４８】
１  第１基板、２  第２基板、５ａ  信号配線、５ｂ  走査配線、５  配線、７ａ  信号配線コンタクトホール、７ｂ  走査配線コンタクトホール、７  コンタクトホール、８  ショート配線、９ａ  信号延長配線、９ｂ  走査延長配線、９  延長配線、１０ａ  表示エリア、１０ｂ  面取りエリア、１１  ブロック、１２  くびれ、１３  面取り端部、１５  剥離配線、Ａ  １ブロックの縦寸法、Ｂ  １ブロックの横最大寸法、Ｃ  １ブロックの横最小寸法、Ｄ  くびれの角度、Ｅ  配線間の距離。
【図１】
0005072518.tif 000002
【図２】
0005072518.tif 000003
【図３】
0005072518.tif 000004
【図４】
0005072518.tif 000005
【図５】
0005072518.tif 000006
【図６】
0005072518.tif 000007